(57)【特許請求の範囲】
【請求項１】
本体ケース内に洗浄槽が収容された構造を有し、漏水を検出して、漏水異常を報知する漏水検出手段を備えた食器洗浄乾燥機において、
上部からの水の侵入を阻止できるように構成された電極台の内部に、
(ａ)複数の電極と、
(ｂ)前記電極とハーネスを接続するコネクタと
を収容し、かつ、前記電極台の下部から前記複数の電極の下端部を露出させた構造を有する漏水検出手段が、前記本体ケースの底部近傍に配設され、
漏水して前記本体ケースの底部に溜まった水により、前記漏水検出手段の、前記電極台の下部から露出した複数の電極のうち、少なくとも一対の電極間が通電することにより漏水を検出して、漏水異常を報知するように構成されているとともに、
前記電極台は、前記複数の電極をそれぞれ独立して収容する複数の電極収容スペースを備え、かつ、
前記複数の電極収納スペースのそれぞれには、前記複数の電極の１つと、当該電極を前記ハーネスに接続するための前記コネクタとが収容されていること
を特徴とする食器洗浄乾燥機。
【請求項２】
前記本体ケースへの、前記漏水検出手段の取り付けが、前記電極台に設けられた電極台側係合部を、前記本体ケースに設けられた係合部に係合させることにより行われ、
前記本体ケースからの、前記漏水検出手段の取り外しが、前記電極台に設けられた電極台側係合部を、前記本体ケースに設けられた係合部から外すことにより行われるように構成されていること
を特徴とする請求項１記載の食器洗浄乾燥機。
【請求項３】
前記電極台側係合部が、前記電極台の両側部に配設されており、前記本体ケースに設けられた係合部を両側から把持することにより、漏水検出手段が前記本体ケースに取り付けられるように構成されていることを特徴とする請求項２記載の食器洗浄乾燥機。
【請求項４】
前記電極台の上面側にも、前記本体ケースに設けられた係合部と係合する上面側係合部が配設され、両側部に配設された前記電極台側係合部と、前記上面側係合部により、前記漏水検出手段が、取り外し可能に本体ケースに取り付けられていることを特徴とする請求項３記載の食器洗浄乾燥機。
【発明の詳細な説明】
【技術分野】
【０００１】
本願発明は、食器洗浄乾燥機に関し、詳しくは、漏水を検出して、漏水異常を報知する漏水検出手段を備えた食器洗浄乾燥機に関する。
【背景技術】
【０００２】
従来の食器洗浄乾燥機には、水漏れを早期に検出し、外部への漏水を防止するために、漏水を検知する漏水検出手段を備えたものがある。
【０００３】
図８は従来の食器洗浄乾燥機の構造を示す図、図９は従来の食器洗浄乾燥機において用いられている漏水検出手段の配設態様を示す図、図１０は従来の食器洗浄乾燥機において用いられている漏水検出手段の構成を示す図である。
【０００４】
この食器洗浄乾燥機５０は、本体ケース５１内に蓋（図示せず）を備えた洗浄槽５２が収容され、ドア５３を操作することにより、洗浄槽５２を本体ケース５１から引き出すことができるように構成されており、本体ケース５１の底部には、水漏れを検出するための漏水検出手段５４（図９参照）が配設されている。  なお、漏水検出手段５４は、洗浄槽５２を移動させるためのレール５５より少し下側の位置において、漏水検出手段５４を保持するための保持部５６にビス（図示せず）により取り付けられている。
【０００５】
ところで、この食器洗浄乾燥機５０において用いられている漏水検出手段５４は、図１０に示すように、２つの電極６１ａ，６１ｂを樹脂製の電極台６２に上から嵌め込んで取り付け、横から各電極６１ａ，６１ｂに、ハーネス６３との接続用のコネクタ６４ａ，６４ｂを嵌め込むように構成されており、食器洗浄乾燥機５０内で水漏れが発生したときに、本体ケース５１の底部に溜まった水が２つの電極６１ａ，６１ｂに接触することにより、電極６１ａ，６１ｂ間が通電し、水漏れを検知するように構成されている。
【０００６】
しかしながら、上記従来の食器洗浄乾燥機５０において用いられている漏水検出手段５４は、電極６１ａ，６１ｂを上方から電極台６２の電極収納スペース６５に嵌め込むように構成されているため、食器洗浄乾燥機５０のドア５３を引き出したときに洗浄槽５２の蓋から電極６１ａ，６１ｂ上に少量の水滴が滴下しただけで（漏水ではないのに）漏水と誤って検出してしまうという問題点がある。なお、漏水と検出されると漏水の報知がなされることになり、食器洗浄乾燥機５０の運転を停止したりすることが必要になり、取扱性が悪いという問題点がある。
【０００７】
また、上記従来の食器洗浄乾燥機５０においては、メンテナンスの際に、漏水検出手段５４（電極台６２）が作業の支障となるため、ビスを外して漏水検出手段５４（電極台６２）を取り外すようにしているが、ビスを外したりするのに手間がかかり、作業性が悪いという問題点がある。
【０００８】
また、上述の食器洗浄乾燥機の他にも、漏水検出手段を備えた食器洗浄乾燥機は種々提案されている（例えば、特許文献１および特許文献２参照）が、上述のような構成の食器洗浄乾燥機において、上方からの水滴の滴下に対して具体的な対策が施されているものは提案されていないのが実情である。
【特許文献１】特開平１０−１６０５４７号公報
【特許文献２】特開２００３−５２６０８号公報
【発明の開示】
【発明が解決しようとする課題】
【０００９】
本願発明は、上記課題を解決するものであり、漏水検出手段を備えた食器洗浄乾燥機において、水滴の落下などのような上部からの少量の水を、漏水検出手段が誤って漏水と判断するような誤動作を確実に防止することが可能で、信頼性の高い食器洗浄乾燥機、さらには、漏水検出手段の着脱が容易で、メンテナンスの際の作業性にも優れた食器洗浄乾燥機を提供することを目的とする。
【課題を解決するための手段】
【００１０】
上記課題を解決するために、本願発明（請求項１）の食器洗浄乾燥機は、
本体ケース内に洗浄槽が収容された構造を有し、漏水を検出して、漏水異常を報知する漏水検出手段を備えた食器洗浄乾燥機において、
上部からの水の侵入を阻止できるように構成された電極台の内部に、
(ａ)複数の電極と、
(ｂ)前記電極とハーネスを接続するコネクタと
を収容し、かつ、前記電極台の下部から前記複数の電極の下端部を露出させた構造を有する漏水検出手段が、前記本体ケースの底部近傍に配設され、
漏水して前記本体ケースの底部に溜まった水により、前記漏水検出手段の、前記電極台の下部から露出した複数の電極のうち、少なくとも一対の電極間が通電することにより漏水を検出して、漏水異常を報知するように構成されているとともに、
前記電極台は、前記複数の電極をそれぞれ独立して収容する複数の電極収容スペースを備え、かつ、
前記複数の電極収納スペースのそれぞれには、前記複数の電極の１つと、当該電極を前記ハーネスに接続するための前記コネクタとが収容されていること
を特徴としている。
【００１１】
また、請求項２の食器洗浄乾燥機は、請求項１記載の発明の構成において、前記本体ケースへの、前記漏水検出手段の取り付けが、前記電極台に設けられた電極台側係合部を、前記本体ケースに設けられた係合部に係合させることにより行われ、前記本体ケースからの、前記漏水検出手段の取り外しが、前記電極台に設けられた電極台側係合部を、前記本体ケースに設けられた係合部から外すことにより行われるように構成されていることを特徴としている。
【００１２】
また、請求項３の食器洗浄乾燥機は、請求項２の発明の構成において、前記電極台側係合部が、前記電極台の両側部に配設されており、前記本体ケースに設けられた係合部を両側から把持することにより、漏水検出手段が前記本体ケースに取り付けられるように構成されていることを特徴としている。
【００１３】
また、請求項４の食器洗浄乾燥機は、請求項２または３の発明の構成において、前記電極台の上面側にも、前記本体ケースに設けられた係合部と係合する上面側係合部が配設され、両側部に配設された前記電極台側係合部と、前記上面側係合部により、前記漏水検出手段が、取り外し可能に本体ケースに取り付けられていることを特徴としている。
【発明の効果】
【００１４】
本願発明（請求項１）の食器洗浄乾燥機は、本体ケース内に洗浄槽が収容された構造を有し、漏水を検出して、漏水異常を報知する漏水検出手段を備えた食器洗浄乾燥機において、上部からの水の侵入を阻止できるように構成された電極台の内部に、(ａ)複数の電極と、(ｂ)電極とハーネスを接続するコネクタとを収容し、かつ、電極台の下部から複数の電極の下端部を露出させた構造を有する漏水検出手段を、本体ケースの底部近傍に配設し、漏水して本体ケースの底部に溜まった水により、漏水検出手段の、電極台の下部から露出した複数の電極のうち、少なくとも一対の電極間が通電することにより漏水を検出して、漏水異常を報知するように構成されているとともに、電極台は、複数の電極をそれぞれ独立して収容する複数の電極収容スペースを備え、かつ、複数の電極収納スペースのそれぞれには、複数の電極の１つと、当該電極を前記ハーネスに接続するための前記コネクタとが収容されているので、水滴の落下などのような上部からの少量の水により、漏水検出手段が誤動作することを確実に防止することが可能になり、信頼性の高い食器洗浄乾燥機を提供することが可能になる。
【００１５】
なお、上部からの水の侵入を阻止できるような構成としては、例えば、電極や、コネクタを取り付けるためのコネクタ取り付け部を電極台内に組み込んで蓋をするようにした構成などが例示される。このような構成とすることにより、洗浄槽の上部などから滴下するわずかな水滴に対して漏水検出手段が誤動作する（漏水していないのに漏水であると判断する）ことのない構成とすることが可能になる。
【００１６】
また、電極台が、複数の電極をそれぞれ独立して収容する電極収容スペースを備え、かつ、複数の電極収納スペースのそれぞれには、複数の電極の１つと、当該電極をハーネスに接続するためのコネクタとが収容されているので、電極台の電極収容スペースの内部に水が浸入した場合にも、個々の電極収容スペースが独立していることから、電極台の内部で電極間が通電することを防止して、電極台の内部に水が侵入した場合にも、漏水を検出することがなく、電極台から露出した下端部における電極間の通電の有無のみにより漏水を検出することが可能になり、信頼性の高い漏水検出を行うことが可能になる。
【００１７】
なお、複数の電極をそれぞれ独立して収容する、個々の電極収容スペースは必ずしも密閉状態になっている必要はなく、少量の水が侵入した場合にも複数の電極間が通電することを防止できるような態様で配設されていればよい。
【００１８】
また、請求項２の食器洗浄乾燥機のように、請求項１記載の発明の構成において、本体ケースへの、漏水検出手段の取り付けが、電極台に設けられた電極台側係合部を、本体ケースに設けられた係合部に係合させることにより行われ、本体ケースからの、漏水検出手段の取り外しが、電極台に設けられた電極台側係合部を、本体ケースに設けられた係合部から外すことにより行われるように構成した場合、漏水検出手段の着脱を容易かつ確実に行うことが可能になり、メンテナンスの際の作業性にも優れた食器洗浄乾燥機を提供することが可能になる。
【００１９】
また、請求項３の食器洗浄乾燥機のように、請求項２の発明の構成において、電極台側係合部を、電極台の両側部に配設し、本体ケースに設けられた係合部を両側から把持することにより、漏水検出手段を本体ケースに取り付けるように構成した場合、容易かつ確実に漏水検出手段の着脱を行うことが可能になり、本願発明をより実効あらしめることができる。
【００２０】
また、請求項４の食器洗浄乾燥機のように、請求項３の発明の構成において、電極台の上面側にも、本体ケースに設けられた係合部と係合する上面側係合部を配設し、両側部に配設された電極台側係合部と、上面側係合部により、漏水検出手段を、取り外し可能に本体ケースに取り付けるようにした場合、より確実に漏水検出手段を取り付けることが可能になり、さらに信頼性の高い漏水検出を行うことが可能になり、本願発明をさらに実効あらしめることが可能になる。
【発明を実施するための最良の形態】
【００２１】
以下に本願発明の実施例を示して、本願発明の特徴とするところをさらに詳しく説明する。
【実施例１】
【００２２】
図１は本願発明の一実施例にかかる食器洗浄乾燥機の構造を示す図、図２は本願発明の食器洗浄乾燥機において用いられている漏水検出手段の配設態様を示す図である。
【００２３】
また、図３は本願発明の一実施例にかかる食器洗浄乾燥機において用いられている漏水検出手段を示す図であり、(ａ)は漏水検出手段を構成する電極台を開けて、電極およびコネクタを収納した状態を示す図、(ｂ)は電極台を閉じて、上部からの水の侵入を阻止することが可能な状態にするとともに、電極台の下部から電極の下端部を露出させた状態を示す図、図４は漏水検出手段において用いられている電極を示す斜視図である。
【００２４】
この実施例の食器洗浄乾燥機１０は、図１に示すように、本体ケース１内に蓋（図示せず）を備えた洗浄槽２が収容され、ドア３を操作することにより、洗浄槽２を本体ケース１から引き出すことができるように構成されており、本体ケース１の底部には、水漏れを検出するための漏水検出手段４（図２参照）が配設されている。
なお、漏水検出手段４は、図２に示すように、洗浄槽２を移動させるためのレール５より少し下側の位置において、漏水検出手段４を保持するための係合部（係合孔）２２（図５参照）に着脱可能に取り付けられている。
この漏水検出手段４は、漏水して本体ケース１の底部に溜まった水により、電極台１２の下部から露出した一対の電極１１ａ，１１ｂが導通（通電）することにより漏水を検出して、漏水異常を報知するように構成されている。
【００２５】
また、漏水検出手段４は、図３(ａ)，(ｂ)に示すように、上部からの水の侵入を阻止できるように構成された電極台１２の内部に、漏水検出用の２つの電極１１ａ，１１ｂと、電極１１ａ，１１ｂとハーネス１３を接続するコネクタ１４ａ，１４ｂとを収容し、かつ、電極台１２の下部から２つの電極１１ａ，１１ｂの下端部を露出させた構造を有している。
【００２６】
なお、電極１１ａ，１１ｂは、図４に示すように、金属板を折り曲げ加工することにより形成されており、電極台１２の下部から露出する下端部１１１と、下端部１１１とは逆側の端部であって、コネクタ１４ａ，１４ｂと接続される接続用端部１１２とを備えている。
【００２７】
また、電極台１２は、２つの電極１１ａ，１１ｂをそれぞれ独立して収容する電極収容スペース１５ａ，１５ｂを備えており、電極収容スペース１５ａ，１５ｂは、少量の水が侵入した場合にも、収容されている電極１１ａ，１１ｂどうしが導通（通電）するおそれのないように、所定の間隔をおいて配設されている。
【００２８】
すなわち、電極収容スペース１５ａ，１５ｂは、内部に水が浸入した場合にも、電極１１ａ，１１ｂ間において電極台１２の内部で導通することがないため、電極台１２への少量の水の侵入を、漏水と判断するような誤動作をすることがなく、電極台１２から露出した電極１１ａ，１１ｂの下端部１１１における電極１１ａ，１１ｂ間の導通の有無のみにより漏水を検出することができるように構成されている。
【００２９】
なお、この実施例では、電極収容スペース１５ａ，１５ｂには、電極１１ａ，１１ｂの主要部および、電極１１ａ，１１ｂとハーネス１３を接続するためのコネクタ１４ａ，１４ｂと電極１１ａ，１１ｂとの接続部分が収容されるように構成されている。
【００３０】
さらに、電極台１２は、図３(ａ)，(ｂ)に示すように、コネクタ１４ａ，１４ｂと電極１１ａ，１１ｂの接続部分を収容する本体部分１２ａと、２つの電極１１ａ，１１ｂの下端部１１１を露出させつつ、電極収容スペース１５ａ，１５ｂを封止する蓋部分１２ｂとを備えている。
【００３１】
また、本体ケース１への、漏水検出手段４の取り付けは、図５および図６に示すように、電極台１２に設けられた爪状係合部（電極台側係合部）２１を、本体ケース１に設けられた係合部（この実施例では係合孔）２２に係合させることにより行われている。
【００３２】
すなわち、この実施例では、図５（本体ケース１に設けられた係合孔２２への、爪状係合部２１の取り付け前）および図６（本体ケース１に設けられた係合孔２２への、爪状係合部２１の取り付け後）に示すように、電極台１２の両端側に設けられた爪状係合部２１を、電極台１２とともに、本体ケース１の係合部（係合孔）２２に挿入し、爪状係合部２１の中央部に設けられた突起部２１ａが係合部（係合孔）２２を通過し、本体ケース１に設けられた係合孔２２の壁部１ａが電極台１２の本体部分１２ａに設けられた当接部（突起）２３に当接するまで押し込むことにより、本体ケース１に設けられた係合孔２２の壁部１ａが、爪状係合部２１の突起部２１ａと、電極台１２の本体部分１２ａに設けられた当接部（突起）２３との間に保持され、漏水検出手段４が本体ケース１に取り付けられた状態とすることができる。
【００３３】
また、漏水検出手段４を取り外す場合には、爪状係合部２１を電極台１２の本体部分１２ａに押し付けるようにして変形させた状態で、電極台１２を本体ケース１の係合部（係合孔）２２から引き出すことにより、漏水検出手段４を本体ケース１から容易に取り外すことができるように構成されている。
【００３４】
なお、図７に示すように、電極台１２の上面側にも一対の上面側爪状係合部（上面側係合部）３１を設けるとともに、係合部（係合孔）２２の上辺側に、一対の上面側爪状係合部３１が嵌入する凸部２２ａを設け、左右両側の爪状係合部２１と上面側爪状係合部３１を係合部（係合孔）２２に押し込むことにより、本体ケース１の係合部（係合孔）２２と電極台１２の間に隙間（ガタ）がある場合にも、上面側爪状係合部３１により電極台１２を下方に押し付けて、漏水検出手段４を本体ケース１の係合部（係合孔）２２に確実に保持させることが可能になる。
【００３５】
また、この実施例の食器洗浄乾燥機は、漏水検出手段４が漏水を検出した場合に漏水を知らせる報知手段（特に図示せず）を備えている。
【００３６】
上述のように構成されたこの実施例の食器洗浄乾燥機１０においては、上部からの水の侵入を阻止できるように構成された電極台１２の内部に、電極１１ａ，１１ｂと、電極１１ａ，１１ｂとハーネス１３を接続するコネクタ１４ａ，１４ｂとを収容し、かつ、電極台１２の下部から電極１１ａ，１１ｂの下端部１１１を露出させた構造を有する漏水検出手段４を、本体ケース１の底部近傍に配設するようにしているので、漏水して本体ケース１の底部に溜まった水によって、漏水検出手段４の、電極台１２の下部から露出した電極１１ａ，１１ｂ間が導通（通電）することにより、漏水を確実に検出することができる。
すなわち、水滴の落下などのような上部からの少量の水により、電極１１ａ，１１ｂ間が互いに導通して漏水と誤って判断することを防止し、信頼性の高い漏水検出を行うことが可能な食器洗浄乾燥機を提供することが可能になる。
【００３７】
また、電極台１２として、電極１１ａ，１１ｂを独立して収容する、電極収容スペース１５ａ，１５ｂを備えた構成のものを用いるようにしているので、電極台１２の電極収容スペース１５ａ，１５ｂの内部に水が浸入した場合にも、個々の電極収容スペース１５ａ，１５ｂ内の電極１１ａ，１１ｂ間が導通することを防止して、電極台１２から露出した下端部１１１における電極１１ａ，１１ｂ間の導通の有無のみにより漏水を検出することが可能になり、信頼性の高い漏水検出を行うことができる。
【００３８】
また、本体ケース１への、漏水検出手段４の取り付けを、電極台１２に設けられた爪状係合部２１を、本体ケース１に設けられた係合部（係合孔）２２に係合させることにより行うようにしているので、爪状係合部２１を、係合部（係合孔）２２に係合させ、あるいは係合部（係合孔）２２から取り外すことにより、容易かつ確実に漏水検出手段４の着脱を行うことが可能になり、メンテナンスの際の作業性にも優れた食器洗浄乾燥機を提供することが可能になる。
【００３９】
また、電極台１２の上面側にも、本体ケース１に設けられた係合部（係合孔）２２の上辺の凸部２２ａと係合する上面側爪状係合部（上面側係合部）３１を配設し、電極台１２の両側部に配設された爪状係合部２１と、上面側爪状係合部３１により、漏水検出手段４を、本体ケース１に取り付けるようにした場合、本体ケース１の係合部（係合孔）２１と電極台１２の間に隙間（ガタ）がある場合にも、上面側爪状係合部３１により電極台を下方に押し付けて、漏水検出手段４を本体ケース１の係合部（係合孔）２２に確実に保持させることができる。
【００４０】
なお、上記実施例では、２つの電極を備えた漏水検出手段を有する食器洗浄乾燥機を例にとって説明したが、本願発明は、３つ以上の電極を備えた漏水検出手段を用いる場合にも適用することが可能であり、その場合にも同様の作用効果を得ることができる。
【００４１】
本願発明は、さらにその他の点においても上記実施例に限定されるものではなく、電極台の具体的な構成や細部の構造、電極収容スペースの配設態様、電極台に収容される電極やコネクタの具体的な形状や構造、電極台に設けられた係合部の具体的な構造やその配設態様、本体ケースに設けられた係合部の位置や構造などに関し、発明の範囲内において、種々の応用、変形を加えることが可能である。
【産業上の利用可能性】
【００４２】
上述のように、本願発明によれば、上部からの水の侵入を阻止できるように構成された電極台の内部に、(ａ)複数の電極と、(ｂ)電極とハーネスを接続するコネクタとを収容し、かつ、電極台の下部から複数の電極の下端部を露出させた構造を有する漏水検出手段を、本体ケースの底部近傍に配設し、漏水して本体ケースの底部に溜まった水により、漏水検出手段の、電極台の下部から露出した複数の電極のうち、少なくとも一対の電極間が通電することにより漏水を検出して、漏水異常を報知するように構成しているので、水滴の落下などのような上部からの少量の水により、漏水検出手段が誤動作することを確実に防止することが可能になり、信頼性の高い食器洗浄乾燥機を提供するとができる。
また、本体ケースへの、漏水検出手段の取り付けを、電極台に設けられた電極台側係合部を、本体ケースに設けられた係合部に係合させることにより行うようにしているので、漏水検出手段を取り外すことが必要になるメンテナンスの際の作業性にも優れた食器洗浄乾燥機を提供することができる。
したがって、本願発明は、漏水を検出する漏水検出手段を備えた食器洗浄乾燥機の分野に広く適用することが可能である。
【図面の簡単な説明】
【００４３】
【図１】本願発明の一実施例にかかる食器洗浄乾燥機の構造を示す図である。
【図２】本願発明の一実施例にかかる食器洗浄乾燥機において用いられている漏水検出手段の配設態様を示す図である。
【図３】本願発明の一実施例にかかる食器洗浄乾燥機において用いられている漏水検出手段を示す図であり、(ａ)は漏水検出手段を構成する電極台を開けている状態を示す図、(ｂ)は電極台を閉じて、電極台の下部から電極の下端部を露出させた状態を示す図である。
【図４】本願発明の一実施例にかかる食器洗浄乾燥機における漏水検出手段において用いられている電極を示す斜視図である。
【図５】本願発明の一実施例にかかる食器洗浄乾燥機における電極台の両端側に設けられた爪状係合部（電極台側係合部）を、電極台とともに、本体ケースの係合部（係合孔）に挿入する前の図である。
【図６】本願発明の一実施例にかかる食器洗浄乾燥機における電極台の両端側に設けられた爪状係合部（電極台側係合部）を、電極台とともに、本体ケースの係合部（係合孔）に挿入した後の図である。
【図７】本願発明の一実施例にかかる食器洗浄乾燥機における左右両側の爪状係合部（電極台側係合部）と上面側爪状係合部（上面側係合部））を係合させる状態を説明する図である。
【図８】従来の食器洗浄乾燥機の構造を示す図である。
【図９】従来の食器洗浄乾燥機において用いられている漏水検出手段の配設態様を示す図である。
【図１０】従来の食器洗浄乾燥機において用いられている漏水検出手段の構成を示す図である。
【符号の説明】
【００４４】
１        本体ケース
１ａ      係合孔の壁部
２        洗浄槽
３        ドア
４        漏水検出手段
５        レール
１０      食器洗浄乾燥機
１１ａ，１１ｂ    電極
１２      電極台
１２ａ    電極台の本体部分
１２ｂ    電極台の蓋部分
１３      ハーネス
１４ａ，１４ｂ    コネクタ
１５ａ，１５ｂ    電極収容スペース
２１      爪状係合部（電極台側係合部）
２１ａ    爪状係合部の突起部
２２      係合部（係合孔）
２２ａ    係合部（係合孔）の上辺の凸部
２３      電極台の本体部分に設けられた当接部（突起）
３１      上面側爪状係合部（上面側係合部）
１１１    電極の下端部
１１２    電極の接続用端部
【図１】
0004689369.tif 000002
【図２】
0004689369.tif 000003
【図３】
0004689369.tif 000004
【図４】
0004689369.tif 000005
【図５】
0004689369.tif 000006
【図６】
0004689369.tif 000007
【図７】
0004689369.tif 000008
【図８】
0004689369.tif 000009
【図９】
0004689369.tif 000010
【図１０】
0004689369.tif 000011